(57)【要約】【課題】露出情報をアペックス単位の表示方式と露光時間及びＦ値の表示方式の何れの表示方式かを選択して表示可能な撮像装置を提供する。【解決手段】オペレータが操作部２３から露出情報の入力操作を行い、液晶モニタ１８に表示される露出情報表示選択メニューから、所望のコマンド表示を選択することにより、露出情報の表示にアペックス単位の表示か、露出時間及びＦ値単位の表示の何れかを選択することが選択可能で、アペックス単位の表示方式の選択によって、シャッタースピード情報を基準値からのずれ量として、絞り情報を基準値からの画面の照度と焦点深度のずれ量として簡潔に捉えるか、露光時間及びＦ値の表示方式の選択によって、シャッタースピード情報から露光時の手ぶれの発生を判定し、Ｆ値から焦点距離と入射瞳直径の比を具体的に把握して撮影操作を行なうかを、オペレータが表示確認目的や撮影技術で選択可能になる。【選択図】        図１
2004159150.tif 000002
【特許請求の範囲】
【請求項１】
シャッタースピード情報及び絞り情報からなる露出情報を含む撮影情報を表示する撮影情報ディスプレイを備えた撮像装置であり、
前記撮像情報ディスプレイでの前記露出情報の表示をアペックス単位の表示方式で行なうか、露光時間及びＦ値の表示方式で行なうかを選択する表示選択手段と、
該表示選択手段により選択される表示方式に基づいて、前記撮影情報ディスプレイに、前記露出情報を表示する表示制御手段と
を有することを特徴とする撮像装置。
【請求項２】
撮像情報ディスプレイにおける撮影情報の表示更新タイミングを設定する表示更新タイミング設定手段が、さらに設けられていることを特徴とする請求項１記載の撮像装置。
【請求項３】
設定される撮影情報が不適性であると、該撮影情報の撮影情報ディスプレイでの表示色を、適性に設定される撮影情報の表示色とは異なる色で表示する第１の色変更表示手段が、さらに設けられていることを特徴とする請求項１記載の撮像装置。
【請求項４】
撮影情報のマニュアル設定時に、該撮影情報の撮影情報ディスプレイでの表示色を、オート設定時の撮影情報の表示色とは異なる色で表示する第２の色変更表示手段が、さらに設けられていることを特徴とする請求項１記載の撮像装置。
【請求項５】
設定される撮影情報に基づいて露出補正が行なわれる場合には、該撮影情報の表示色を、露出補正を行なわない場合の撮影情報の表示色とは異なる色で表示する第３の色変更表示手段が、さらに設けられていることを特徴とする請求項１記載の撮像装置。
【請求項６】
設定されるシャッタースピード情報が、所定基準値を下回る場合に、該シャッタースピード情報の撮影情報ディスプレイでの表示色を、前記所定基準値に達しているシャッタースピード情報の表示色とは異なる色で表示する第４の色変更表示手段が、さらに設けられていることを特徴とする請求項１記載の撮像装置。
【請求項７】
所定基準値が、予め選択設定される手ぶれシャッタースピードであることを特徴とする請求項６記載の撮像装置。
【請求項８】
所定基準値を設定する基準値設定手段が、さらに設けられていることを特徴とする請求項６記載の撮像装置。
【発明の詳細な説明】
【０００１】
【発明の属する技術分野】
本発明は撮像装置、特に被写体の撮影時のシャッタースピード情報及び絞り情報からなる露出情報を含む撮影情報の表示機能を備えた撮像装置に関する。
【０００２】
【従来の技術】
近年広く利用されるようになった撮像装置、所謂電子カメラでは、その利用分野の拡大と共に、被写体の撮影モードや撮影条件を決める撮影情報が、大幅に多様化し複雑化してその種類が増加しており、電子カメラではこのような撮影情報を表示して、オペレータに撮影情報を確認させ、撮影操作の参考とさせることにより、オペレータに適確な撮影操作を行なわせることが必要になる。
この目的のために、シャッタースピード情報及び絞り情報からなる露出情報を含む各種の撮影情報の表示が行なわれる撮像装置は一般に使用されており、また、この種カメラの表示装置についても提案がなされている（特許文献１、特許文献２を参照）。
【０００３】
一方で、この種の電子カメラのオペレータには、撮影情報の多くを自動設定して撮影を行なうアマチュアのオペレータと、撮影情報をマニュアル設定して、オペレータ独自の撮影情報下での撮影を行なうプロフェショナルなオペレータとが存在し、アマチュアのオペレータにとっては、多様化した複雑な撮影情報が装置のモニタに表示されることは、カメラ操作時にむしろ煩雑に感じられ、そのために撮影操作を誤ってしまうこともある。
この問題を解決するために、オペレータが撮影条件の表示或いは非表示を指令するスイッチを表示操作する期間だけ、撮影情報が表示手段に表示される電子カメラが提案されている（特許文献３を参照）。
この電子カメラによると、撮影情報の多くを自動設定して撮影を行なうアマチュアのオペレータが、多様化した複雑な撮影情報の表示に惑わせられずに撮影を行なうことが可能になる。
【０００４】
【特許文献１】
実開平５−８１８３２号公報
【特許文献２】
特開２０００−１３７２７７号公報
【特許文献３】
特開２００２−５１２３８号公報
【０００５】
【発明が解決しようとする課題】
ところで、撮影情報のうちでシャッタースピード情報と絞り情報からなる露出情報には、アペックス単位の表示方式と、露光時間及びＦ値の表示方式とがあり、アペックス単位の表示方式では、シャッタースピードを基準シャッタースピードからのずれ量として、絞り情報を基準値からの画面照度と焦点深度のずれ量として簡潔に把握でき、露光時間及び絞り情報の表示方式では、シャッタースピードから手ぶれ発生の可能性が判定でき、絞り情報から焦点距離と入射瞳直径の比が具体的に把握できる。
このために、オペレータそれぞれの露出情報確認の目的により、何れかの方式での表示が選択できると、オペレータそれぞれの撮影技術にも対応して撮影動作を効率的に実行することが可能になる。
しかし、露出情報の表示をアペックス単位の表示方式で行なうか、露光時間及びＦ値の表示方式で行なうかを選択する表示選択手段を設けることについての提案は見当たらない。
【０００６】
一方で、この種の撮像装置の撮影情報の表示においては、正常な撮影動作を阻止するおそれのある撮影情報が設定された時、自動露出時に露出補正が行なわれた時及びマニアル露出時などには、オペレータに対して、これら要確認撮影情報の表示が、多数の撮影情報の表示から誤りなく迅速に識別可能な表示形態で表示されることが基本的に要求される。
しかし、オペレータに対して、多数の撮影情報の表示から要確認撮影情報を、誤りなく迅速に識別可能な表示形態で表示する技術は見当たらない。
【０００７】
本発明は、前述したようなこの種の撮像装置の撮影情報表示の現状に鑑みてなされたものであり、その第１の目的は、露出情報をアペックス単位の表示方式と露光時間及びＦ値の表示方式との何れの表示方式かを選択し、必要に応じて表示更新タイミングを選択設定して表示可能な撮像装置を提供することにある。
また、本発明の第２の目的は、多数の撮影情報の表示から、撮影実行上で確認することが必要な撮影情報のみを、オペレータが迅速に識別可能な表示形態で表示可能な撮像装置を提供することにある。
【０００８】
【課題を解決するための手段】
前記第１の目的を達成するために、請求項１記載の発明は、シャッタースピード情報及び絞り情報からなる露出情報を含む撮影情報を表示する撮影情報ディスプレイを備えた撮像装置であり、前記撮像情報ディスプレイでの前記露出情報の表示をアペックス単位の表示方式で行なうか、露光時間及びＦ値の表示方式で行なうかを選択する表示選択手段と、該表示選択手段により選択される表示方式に基づいて、前記撮影情報ディスプレイに、前記露出情報を表示する表示制御手段とを有することを特徴とするものである。
【０００９】
このような手段によると、表示選択手段によって、撮像情報ディスプレイでの露出情報の表示をアペックス単位の表示方式で行なうか、露光時間及びＦ値の表示方式で行なうかが選択され、表示制御手段によって、表示選択手段により選択される表示方式に基づいて、撮影情報ディスプレイに露出情報が表示されるので、オペレータは、自らの撮影技術に基づく露出情報確認の目的に応じて利用し易い表示方式で、撮影情報ディスプレイに露出情報を表示させることにより、アペックス単位の表示方式を選択する場合は、シャッタースピード情報を基準値からのずれ量として、絞り情報を基準値からの画面の照度と焦点深度のずれ量としてそれぞれ簡潔に把握し、露光時間及びＦ値の表示方式を選択する場合は、シャッタースピード情報から露光時の手ぶれ発生の可能性を判定し、Ｆ値から焦点距離と入射瞳直径の比を具体的に把握する。
【００１０】
同様に前記第１の目的を達成するために、請求項２記載の発明は、請求項１記載の発明に対して、撮像情報ディスプレイにおける撮影情報の表示更新タイミングを設定する表示更新タイミング設定手段が、さらに設けられていることを特徴とするものである。
【００１１】
このような手段によると、請求項１記載の発明での作用に加えて、表示更新タイミング設定手段によって、撮像情報ディスプレイにおける撮影情報の表示更新タイミングが選択設定されるので、オペレータが視覚的に確認し易い表示更新タイミングで、撮影情報ディスプレイに撮影情報の表示が行なわれ、撮影動作がスムーズに行なわれる。
【００１２】
前記第１及び第２の目的を達成するために、請求項３記載の発明は、請求項１記載の発明に対して、設定される撮影情報が不適性であると、該撮影情報の撮影情報ディスプレイでの表示色を、適性に設定される撮影情報の表示色とは異なる色で表示する第１の色変更表示手段が、さらに設けられていることを特徴とするものである。
【００１３】
このような手段によると、請求項１記載の発明での作用に加えて、設定される撮影情報が不適性であると、第１の色変更表示手段によって、不適性な撮影情報の撮影情報ディスプレイでの表示色が、適性に設定される撮影情報の表示色とは異なる色で表示されるので、オペレータによって、不適性な撮影情報が表示色により適確に判別把握され、迅速に対応する処理が取られる。
【００１４】
同様に前記第１及び第２の目的を達成するために、請求項４記載の発明は、請求項１記載の発明に対して、撮影情報のマニュアル設定時に、該撮影情報の撮影情報ディスプレイでの表示色を、オート設定時の撮影情報の表示色とは異なる色で表示する第２の色変更表示手段が、さらに設けられていることを特徴とするものである。
【００１５】
このような手段によると、請求項１記載の発明での作用に加えて、撮影情報のマニュアル設定時に、該撮影情報の撮影情報ディスプレイでの表示色が、第２の色変更表示手段によって、オート設定時の撮影情報の表示色とは異なる色で表示されるので、オペレータによって、撮影情報のマニュアル設定が、表示色により適確に判別把握され、誤操作のない撮影動作が行なわれる。
【００１６】
同様に前記第１及び第２の目的を達成するために、請求項５記載の発明は、請求項１記載の発明に対して、設定される撮影情報に基づいて露出補正が行なわれる場合には、該撮影情報の表示色を、露出補正を行なわない場合の撮影情報の表示色とは異なる色で表示する第３の色変更表示手段が、さらに設けられていることを特徴とするものである。
【００１７】
このような手段によると、請求項１記載の発明での作用に加えて、設定される撮影情報に基づいて露出補正が行なわれる場合には、第３の色変更表示手段によって、対応する撮影情報の表示色が、露出補正を行なわない場合の撮影情報の表示色とは異なる色で表示されるので、オペレータによって撮影雰囲気条件による露出補正の実行が表示色により適確に把握される。
【００１８】
同様に前記第１及び第２の目的を達成するために、請求項６記載の発明は、請求項１記載の発明に対して、設定されるシャッタースピード情報が、所定基準値を下回る場合に、該シャッタースピード情報の撮影情報ディスプレイでの表示色を、前記所定基準値に達しているシャッタースピード情報の表示色とは異なる色で表示する第４の色変更表示手段が、さらに設けられていることを特徴とするものである。
【００１９】
このような手段によると、請求項１記載の発明での作用に加えて、設定されるシャッタースピード情報が、所定基準値を下回る場合に、第４の色変更表示手段によって、対応するシャッタースピード情報の撮影情報ディスプレイでの表示色が、所定基準値に達しているシャッタースピード情報の表示色とは異なる色で表示されるので、オペレータは、設定されたシャッタースピード情報が所定基準値を下回ることを表示色により明確に把握して、適確な撮影動作が実行される。
【００２０】
同様に前記第１及び第２の目的を達成するために、請求項７記載の発明は、請求項６記載の発明において、所定基準値が、予め選択設定される手ぶれシャッタースピードであることを特徴とするものである。
【００２１】
このような手段によると、所定基準値が、予め選択設定される手ぶれシャッタースピードであることを、シャッタースピード情報の表示色により把握することにより、請求項６記載の発明での作用が実行される。
【００２２】
同様に前記第１及び第２の目的を達成するために、請求項８記載の発明は、請求項６記載の発明に対して、所定基準値を設定する基準値設定手段が、さらに設けられていることを特徴とするものである。
【００２３】
このような手段によると、請求項６記載の発明での作用に加えて、基準値設定手段によって、所定基準値を撮影条件に対応して選択設定することにより、撮影動作が誤操作なくスムーズに行なわれる。
【００２４】
【発明の実施の形態】
以下に、本発明の一実施の形態を、図１ないし図５を参照して説明する。
図１は本実施の形態の全体構成を示すブロック図、図２は本実施の形態の液晶モニタにおける露出条件情報の表示方式の選択設定画像の説明図、図３は本実施の形態の液晶モニタにおける撮影情報の表示変更タイミング選択設定画像の説明図、図４は図２でＡＰＥＸ表示を選択設定した場合のモニタリング画像の説明図、図５は本実施の形態の撮影情報の表示制御動作を示すフローチャートである。
【００２５】
本実施の形態には、図１に示すように、受光面に結像される被写体光像を光電変換し、撮像信号として出力する電子シャッター機能を備えたＣＣＤ（Ｃｈａｒｇｅ  Ｃｏｕｐｌｅｄ  Ｄｅｖｉｃｅ；電荷結合素子）５が設けられ、このＣＣＤ５の前段には、ＣＣＤ５の受光面に被写体光像を結像するレンズ部１が配設され、レンズ部１とＣＣＤ５間には、被写体光像のＣＣＤ５への入射と入射遮断の制御をするシャッター機構部２が配設され、ＣＣＤ５の出力端子には、撮像信号の信号処理を行なう撮像信号処理ユニット１０が接続されている。
【００２６】
この撮像信号処理ユニット１０においては、ＣＣＤ５の出力端子に接続され、入力される撮像信号の雑音抑制を行なうＣＤＳ回路（Ｃｏｒｒｅｌａｔｅｄ  Ｄｏｕｂｌｅ  Ｓａｍｐｌｉｎｇ  Ｃｉｒｃｕｉｔ；相関２重サンプリング回路）  ６が設けられ、ＣＤＳ回路６の出力端子には、利得補正を行なうＡＧＣ７が接続され、ＡＧＣ７の出力端子には、雑音抑制と利得補正が施された撮像信号に対して、例えばＮＴＳＣ信号のサブキャリア周波数の整数倍でＡＤ変換を行なうＡＤ変換回路８が接続されており、さらに、ＣＣＤ５、ＣＤＳ回路６、ＡＧＣ７及びＡＤ変換回路８にそれぞれ制御タイミング信号を出力するタイミング信号発生回路１１が配設されている。
【００２７】
以上に説明した構成を有する撮像信号処理ユニット１０には、撮像信号処理ユニット１０からの出力信号に対して、信号処理を行なう信号処理ユニット１２が接続されており、この信号処理ユニット１２においては、ＡＤ変換回路８の出力端子に接続され、インタフェース動作を行なうＣＣＤインタフェース１３が設けられ、ＣＣＤインタフェース１３の第１の出力端子には、信号処理の総合制御を行なうメモリコントローラ１４が接続され、ＣＣＤインタフェース１３の第２の出力端子からは、前述のタイミング信号発生回路１１に、垂直同期信号ＶＤと水平同期信号ＶＨとが入力されるように構成されている。
さらに、信号処理ユニット１２においては、メモリコントローラ１４にＲＧＢデータに対してＹＵＶ変換を行なうＹＵＶ変換回路１５、ＪＰＥＧ（ＪｏｉｎｔＰｈｏｔｏｇｒａｐｈｉｃ  Ｅｘｐｅｒｔｓ  Ｇｒｏｕｐｅ）規格のデータ圧縮・伸長を行なう圧縮・伸長処理ブロック１７、及び表示信号のインタフェース動作を行なう液晶モニタインタフェース１６が接続されている。
【００２８】
さらに、信号処理ユニット１２の液晶モニタインタフェース１６には、各種のデータの表示を行なう液晶モニタ１８が接続され、メモリコントローラ１４には、ＲＧＢデータ、ＹＵＶ変換データ及びＪＰＥＧ圧縮データが格納されるＳＤＲＡＭ（Ｓｙｎｃｈｒｏｎｏｕｓ  ＤＲＡＭ）３４、全体の撮影動作を制御するＣＰＵ２２、外部装置とのインタフェース動作を行なう通信インタフェース２５が接続され、さらに圧縮データの記録・再生が行なわれるメモリカード２０が着脱自在に接続されている。
また、ＣＰＵ２２には、オペレータにより各種の撮影指令信号が入力される操作部２３、レンズ部１とシャッター機構部２とを駆動するモータドライバ３、及び前述したタイミング信号発生回路１１が接続されている。
本実施の形態では、このような構成において、オペレータが、操作部２３を操作することにより、液晶モニタ１８に表示されるメニューを選択して、各種の撮影指令信号の入力を行なうようになっている。
【００２９】
そして、本実施の形態では、ＣＰＵ２２には、操作部２３からＡＰＥＸ表示選択指令が入力されると、メモリコントローラ１４に、シャッタースピード情報と絞り情報のＡＰＥＸ単位での表示を制御させ、操作部２３から露光時間・Ｆ値表示選択指令が入力されると、メモリコントローラ１４に、シャッタースピード情報と絞り情報の露光時間・Ｆ値での表示を制御させる表示単位指令手段が設けられている。
また、ＣＰＵ２２には、操作部２３で設定される撮影情報が不適性であると、メモリコントローラ１４に、対応する撮影情報の表示色を、適性に設定される撮影情報の表示色とは異なる色で、表示する制御を行なわせる第１の色変更表示指令手段が設けられている。
さらに、ＣＰＵ２２には、操作部２３から撮影情報のマニュアル設定指令が入力されると、メモリコントローラ１４に、対応する撮影情報の撮影情報ディスプレイでの表示色を、オート設定時の撮影情報の表示色とは異なる色で表示する制御を行なわせる第２の色変更表示指令手段が設けられている。
【００３０】
同様にして、ＣＰＵ２２には、自動設定される撮影情報に基づいて露出補正が行なわれる場合には、メモリコントローラ１４に、対応する撮影情報の表示色を、露出補正を行なわない場合の撮影情報の表示色とは異なる色で、表示する制御を行なわせる第３の色変更表示指令手段が設けられている。
また、ＣＰＵ２２には、設定されるシャッタースピード情報が、所定基準値を下回る場合に、メモリコントローラ１４に、対応するシャッタースピード情報の撮影情報ディスプレイでの表示色を、所定基準値に達しているシャッタースピード情報の表示色とは異なる色で表示する制御を行なわせる第４の色変更表示指令手段が設けられている。
【００３１】
このような構成の本実施の形態の動作を説明する。
本実施の形態では、オペレータが、操作部２３を操作することにより、液晶モニタ１８に表示されるメニューを選択して、各種の撮影指令の入力が行なわれ、入力される撮影指令に基づいて撮影動作が行なわれるが、先ず、本実施の形態の撮影情報の表示制御動作を説明する。
【００３２】
被写体の撮影に際しては、オペレータが、操作部２３を操作することにより、各種の撮影情報の設定が行なわれるが、露出情報の入力操作が行なわれると、ＣＰＵ２２の指令によって作動するメモリコントローラ１４から露出情報メニュー表示信号が、液晶モニタインタフェース１６を介して液晶モニタ１８に入力され、液晶モニタ１８には、図２に示すように、露出情報表示選択メニュー３０が表示される。
そこで、オペレータが、露出情報表示選択メニュー３０から、コマンド表示３１ａを選択操作すると、図５のフローチャートのステップＳ１において、ＣＰＵ２２によって、露出情報の表示にアペックス単位の表示が選択されたことが確認され、ステップＳ２に進んで、ＣＰＵ２２の指令に基づき、メモリコントローラ１４によって、露出情報の表示にアペックス単位の表示の設定が行なわれる。
一方、オペレータが、露出情報表示選択メニュー３０から、コマンド表示３１ｂを選択操作すると、ステップＳ１において、ＣＰＵ２２によって、露出情報の表示に露出時間及びＦ値単位の表示が選択されたことが確認され、ステップＳ３に進んで、ＣＰＵ２２の指令に基づき、メモリコントローラ１４によって、露出情報の表示に露光時間及びＦ値単位の表示の設定が行なわれる。
【００３３】
この場合、表１（ａ）に示すように、シャッタースピード情報の表示においては、露光時間Ｔｄ単位の表示と、アペックス単位の表示Ｔｖの間には、Ｔｖ＝−ｌｏｇ２Ｔｄの関係があり、アペックス単位の表示方式では、シャッタースピードを  基準シャッタースピードからのずれ量として把握するのに便利であり、露光時間単位の表示方式では、シャッタースピードから手ぶれ発生の可能性を判定するのに便利である。
また、表１（ｂ）に示すように、絞り情報の表示においては、Ｆ値表示では、焦点距離をｆ、口径をＤとしてＦ＝ｆ／Ｄで表示され、アペックス表示ＡｖはＡｖ＝２ｌｏｇ２Ｆとして表示される。この場合、アペックス単位の表示方式では  、絞り情報を基準値からのずれ量として把握するのに便利であり、Ｆ値単位の表示方式では、絞り情報から焦点距離と入射瞳直径の比を具体的に把握するのに便利である。
【００３４】
【表１】
2004159150.tif 000003
【００３５】
次いで、オペレータが撮影情報表示更新タイミングの入力操作を行なうと、ＣＰＵ２２の指令によって作動するメモリコントローラ１４から、情報表示更新タイミングメニュー表示信号が、液晶モニタインタフェース１６を介して液晶モニタ１８に入力され、液晶モニタ１８には、図３に示すように情報表示更新タイミング選択メニュー３２が表示される。
【００３６】
そこで、オペレータが、情報表示更新タイミング選択メニュー３２から、コマンド表示３３ｃを選択操作すると、図５のフローチャートのステップＳ４において、ＣＰＵ２２によって、情報表示更新のタイミングが１秒に選択されたことが確認され、ステップＳ５に進んで、ＣＰＵ２２の指令に基づき、メモリコントローラ１４によって、情報表示更新タイミングが１秒に設定される。
また、オペレータが、情報表示更新タイミング選択メニュー３２から、コマンド表示３３ｂを選択操作すると、ステップＳ４で表示更新タイミングが１秒でないと判定され、ステップＳ６に進んで、情報表示更新のタイミングが１／２秒に選択されたことが確認され、ステップＳ７に進んで、ＣＰＵ２２の指令に基づき、メモリコントローラ１４によって、情報表示更新タイミングが１／２秒に設定される。
さらに、オペレータが、情報表示更新タイミング選択メニュー３２から、コマンド表示３３ａを選択操作すると、ステップＳ６で表示更新タイミングが１／２秒でないと判定され、情報表示更新のタイミングが１／５秒に選択されたことが確認され、ステップＳ８に進んで、ＣＰＵ２２の指令に基づき、メモリコントローラ１４によって、情報表示更新タイミングが１／５秒に設定される。
【００３７】
このようにして、例えば露出情報がアペックス表示で、Ｔｖ＝５、Ａｖ＝５．６と設定され、情報表示更新タイミングが１／２秒に設定された場合には、図４に示すように、液晶モニタ１８には、撮影しようとする被写体のファインダから覗いた被写体画像３６と、設定されたシャッタースピード情報３４、Ｔｖ５と、絞り情報３５、Ａｖ５．６とが、１／２秒を表示更新タイミングとして表示されることになる。
【００３８】
一方、本実施の形態では、前述したシャッタースピード情報と絞り情報からなる露出情報を含む各種の設定された撮影情報が、液晶モニタ１８に表示されるが、この表示に際しては、操作部２３で設定される撮影情報が不適性であると、ＣＰＵ２２の第１の色変更表示指令手段からの指令によって、メモリコントローラ１４は、対応する撮影情報の液晶モニタ１８での表示色を、適性に設定される撮影情報の表示色とは異なる色で表示する。
また、操作部２３から撮影情報のマニュアル設定指令が入力されると、ＣＰＵ２２の第２の色変更表示指令手段によって、メモリコントローラ１４は、撮影情報の撮影情報ディスプレイでの表示色を、オート設定時の撮影情報の表示色とは異なる色で表示する。
【００３９】
さらに、自動設定される撮影情報に基づいて露出補正が行なわれる場合には、ＣＰＵ２２の第３の色変更指令手段によって、メモリコントローラ１４は、対応する撮影情報の表示色を、露出補正を行なわない場合の撮影情報の表示色とは異なる色で表示する。
そして、設定されるシャッタースピード情報が、所定基準値を下回る場合には、ＣＰＵ２２の第４の色変更表示指令手段によって、メモリコントローラ１４は、対応するシャッタースピード情報の撮影情報ディスプレイでの表示色を、所定基準値に達しているシャッタースピード情報の表示色とは異なる色で表示する。
【００４０】
このようにして、オペレータは表示される撮影情報を確認することにより、必要な場合には撮影情報を修正設定し、最終的に設定された撮影情報に基づいて、被写体の撮影が開始されると、被写体光像が、レンズ部１によってＣＣＤ５の受光面に結像され、受光面にマトリクス状に配列されているホトダイオードに入射され、ＣＰＵ２２の指令によって作動するタイミング信号発生回路１１からのタイミング信号による電子シャッター動作によって、蓄積時間が制御されてホトダイオードへの光信号の蓄積が行なわれる。
そして、ＣＣＤ５への被写体の入射光像は、ＣＣＤ５によって、アナログ撮像信号に光電変換され、ＣＣＤ５から出力されて撮像信号処理ユニット１０に入力される。
【００４１】
撮像信号処理ユニット１０に入力された撮像信号は、ＣＤＳ回路６によって、相関２重サンプリングによる低雑音化処理が施され、次いでＡＧＣ７によって利得補正が行なわれた後に、ＡＤ変換回路８において、例えばＮＴＳＣ信号のサブキャリア周波数の整数倍のサンプリング周波数でＡＤ変換され、ディジタル撮像信号として信号処理ユニット１２に入力される。
信号処理ユニット１２において、ＣＣＤインタフェース１３に入力されるディジタル撮像信号は、メモリコントローラ１４によって、ＣＣＤ５での配列のままのＲＧＢデータとしてＳＤＲＡＭ３４に一旦格納される。
【００４２】
そして、信号処理ユニット１２においては、ＣＰＵ２２の指令で作動するメモノコントローラ１４によって、ＳＤＲＡＭ３４からＲＧＢデータが読み出され、ＹＵＶ変換回路１５によって、ガンマ補正と色分解処理に基づくＹＵＶ変換が行なわれ、色差信号と輝度信号が作成され、色差信号と輝度信号に基づいてディジタルＮＴＳＣ信号が作成される。このディジタルＮＴＳＣ信号が、液晶モニタインタフェース１６によりＤＡ変換されて液晶モニタ１８に入力され、液晶モニタ１８には被写体画像が表示される。
【００４３】
一方、被写体の撮像画像データを、メモリカード２０に記録する場合には、メモリコントローラ１４によって、ＳＤＲＡＭ３４から読み出されるＲＧＢデータから、ＹＵＶ変換回路１５によって色差信号と輝度信号とが作成され、得られる色差信号と輝度信号とは、ＳＤＲＡＭ３４にＹＵＶ変換データとして一旦格納される。
次いで、メモリコントローラ１４によって、ＳＤＲＡＭ３４からＹＵＶ変換データが読み出され、読み出されたＹＵＶ変換データが、ＣＰＵ２２の指令で作動する圧縮・伸長処理ブロック１７によって、直交変換やハフマン符号化を介してＪＰＥＧ方式での圧縮処理が施され、圧縮処理されたＹＵＶ変換データが、メモリコントローラ１４によって、ＳＤＲＡＭ３４にＪＰＥＧ圧縮データとして格納される。
そして、ＣＰＵ２２の指令で作動するメモリコントローラ１４によって、ＳＤＲＡＭ３４から該ＪＰＥＧ圧縮データが読み出されてメモリカード２０に記録される。
【００４４】
また、メモリカード２０から撮像画像データを読み出す場合には、メモリコントローラ１４によって、メモリカード２０から読み出される圧縮処理されたＹＵＶ変換データは、一旦ＳＤＲＡＭ３４に格納された後に読み出され、ＣＰＵ２２の指令により作動するメモリコントローラ１４の制御によって、圧縮・伸長ブロック１７により伸長され、メモリコントローラ１４によって、液晶モニタインタフェース１６に入力されてＤＡ変換されて液晶モニタ１８に入力され、液晶モニタ１８によって、メモリカード２０から読み出された撮像画像データの画像表示が行なわれる。
【００４５】
以上に説明したように、本実施の形態によると、オペレータが操作部２３から露出情報の入力操作を行い、液晶モニタ１８に表示される露出情報表示選択メニューから、コマンド表示を選択することにより、露出情報の表示にアペックス単位の表示か、露出時間及びＦ値単位の表示の何れかを選択することができるので、アペックス単位の表示方式の選択によって、シャッタースピード情報を基準値からのずれ量として、絞り情報を基準値からの画面の照度と焦点深度のずれ量として簡潔に捉えることが可能になり、露光時間及びＦ値の表示方式の選択によって、シャッタースピード情報から露光時の手ぶれ発生の可能性を判定し、Ｆ値から焦点距離と入射瞳直径の比を具体的に把握することが可能になる。
【００４６】
また、オペレータが撮影情報表示更新タイミングの入力操作を行い、液晶モニタ１８に表示される情報表示更新タイミング選択メニューから、撮影情報表示更新タイミングを１秒、１／２秒、１／５秒の何れにするかを選択することにより、液晶モニタ１８に表示される各種の撮影情報の表示更新タイミングを、オペレータが撮影情報を確認し易いタイミングで更新表示させ、表示される撮影情報を見落とすことなく確実に視覚認識することが可能になる。
【００４７】
さらに、本実施の形態では、操作部２３で設定され、液晶モニタ１８に表示される撮影情報が不適性であると、対応する撮影情報の表示色が、適性に設定される撮影情報の表示色とは異なる色で表示され、撮影情報のマニュアル設定が行なわれると、撮影情報の表示色が、オート設定時の表示色とは異なる色で表示され、自動設定される撮影情報に基づいて露出補正が行なわれる場合は、対応する撮影情報の表示色が、露出補正を行なわない場合の表示色とは異なる色で表示され、設定されるシャッタースピード情報が、所定基準値を下回る場合には、対応するシャッタースピード情報の表示色が、所定基準値に達しているシャッタースピード情報の表示色とは異なる色で表示される。
このために、オペレータは、表示される多種類の撮影情報から、不適性な撮影情報、マニュアル設定情報、露出補正情報、手ぶれ発生可能性情報を、迅速適確に選別確認して、撮影操作を誤りなく行い必要な修正設定を適確に行なうことが可能になる。
【００４８】
【発明の効果】
請求項１記載の発明には、シャッタースピード情報及び絞り情報からなる露出情報を含む撮影情報を表示する撮影情報ディスプレイが設けられているが、表示選択手段によって、撮像情報ディスプレイでの露出情報の表示をアペックス単位の表示方式で行なうか、露光時間及びＦ値の表示方式で行なうかが選択され、表示制御手段によって、表示選択手段により選択される表示方式に基づいて、撮影情報ディスプレイに露出情報が表示されるので、オペレータは、自らの撮影技術に基づく露出情報確認の目的に基づき、利用し易い表示方式で、撮影情報ディスプレイに露出情報を表示させることが可能になり、アペックス単位の表示方式を選択すると、シャッタースピード情報を基準値からのずれ量として、絞り情報を基準値からの画面の照度と焦点深度のずれ量として簡潔に捉えることが可能になり、露光時間及びＦ値の表示方式を選択すると、シャッタースピード情報から露光時の手ぶれ発生の可能性を判定し、Ｆ値から焦点距離と入射瞳直径の比を具体的に把握することが可能になる。
【００４９】
請求項２記載の発明によると、請求項１記載の発明で得られる効果に加えて、表示更新タイミング設定手段によって、撮像情報ディスプレイにおける撮影情報の表示更新タイミングが選択設定されるので、オペレータが視覚的に確認し易い表示更新タイミングで、撮影情報ディスプレイに撮影情報の表示を行い、撮影動作をスムーズに行なうことが可能になる。
【００５０】
請求項３記載の発明によると、請求項１記載の発明で得られる効果に加えて、設定される撮影情報が不適性であると、第１の色変更表示手段によって、不適性な撮影情報の撮影情報ディスプレイでの表示色が、適性に設定される撮影情報の表示色とは異なる色で表示されるので、オペレータは不適性な撮影情報を表示色により適確に判別把握して、迅速に対応する処理を取ることが可能になる。
【００５１】
請求項４記載の発明によると、請求項１記載の発明で得られる効果に加えて、撮影情報のマニュアル設定時に、該撮影情報の撮影情報ディスプレイでの表示色が、第２の色変更表示手段によって、オート設定時の撮影情報の表示色とは異なる色で表示されるので、オペレータは撮影情報のマニュアル設定を、表示色により適確に判別把握して誤操作のない撮影動作を行なうことが可能になる。
【００５２】
請求項５記載の発明によると、請求項１記載の発明で得られる効果に加えて、設定される撮影情報に基づいて露出補正が行なわれる場合には、第３の色変更表示手段によって、対応する撮影情報の表示色が、露出補正を行なわない場合の撮影情報の表示色とは異なる色で表示されるので、オペレータは撮影雰囲気条件による露出補正の実行を表示色により適確に把握することが可能になる。
【００５３】
請求項６記載の発明によると、請求項１記載の発明で得られる効果に加えて、設定されるシャッタースピード情報が、所定基準値を下回る場合に、第４の色変更表示手段によって、対応するシャッタースピード情報の撮影情報ディスプレイでの表示色が、所定基準値に達しているシャッタースピード情報の表示色とは異なる色で表示されるので、オペレータは、設定されたシャッタースピード情報が所定基準値を下回ることを表示色により明確に把握して、適確な撮影動作を実行することが可能になる。
【００５４】
請求項７記載の発明によると、所定基準値が、予め選択設定される手ぶれシャッタースピードであることを、シャッタースピード情報の表示色により把握して、請求項６記載の発明で得られる効果を実現することが可能になる。
【００５５】
請求項８記載の発明によると、請求項６記載の発明で得られる効果に加えて、基準値設定手段によって、所定基準値を撮影条件に対応して選択設定することにより、撮影動作を誤操作なくスムーズに行なうことが可能になる。
【図面の簡単な説明】
【図１】本発明の一実施の形態の全体構成を示すブロック図である。
【図２】同実施の形態の液晶モニタにおける露出条件情報の表示方式の選択設定画像の説明図である。
【図３】同実施の形態の液晶モニタにおける撮影情報の表示変更タイミング選択設定画像の説明図である。
【図４】図２でＡＰＥＸ表示を選択設定した場合のモニタリング画像の説明図である。
【図５】同実施の形態の撮影情報の表示制御動作を示すフローチャートである。
【符号の説明】
５  ＣＣＤ
１０  撮像信号処理ユニット
１１  タイミング信号発生回路
１２  信号処理ユニット
１４  メモリコントローラ
１８  液晶モニタ
２１  ＳＲＡＭ
２２  ＣＰＵ
２３  操作部
【図１】
2004159150.tif 000004
【図２】
2004159150.tif 000005
【図３】
2004159150.tif 000006
【図４】
2004159150.tif 000007
【図５】
2004159150.tif 000008